【手続補正書】
【提出日】平成16年4月19日(2004.4.19)
【手続補正１】
【補正対象書類名】明細書
【補正対象項目名】請求項１
【補正方法】変更
【補正の内容】
【請求項１】  管状の缶胴と、
前記缶胴の底端で一体的に形成される凹面底パネルと、
第一の区切りと第二の区切りに分けられる周囲縁をもつ前記缶胴の上端で一体的に形成される上部パネルであって、その側面端と前記第１の区切りとで囲まれる開口部分と、前記開口部分の前記側面端と前記上部パネルの前記周囲縁の前記第２の区切りとによって囲まれる引き上げ部分とを有し、前記周囲縁の前記第１の区切りは、平表面を規定するため、前記側面端まで平らに引き伸ばされ、前記引上げ部分は、前記開口部分の前記側面端から前記上部パネルの前記周囲縁の前記第二の区切りまで引き伸ばされている凹んだ区域を提供し、かつリング形の前もって切られる割れ線が前記平表面の上に配置されるバルブ部材の周りに形成されることとなる上部パネルと、
引上げリング、前記引上げリングと一体的に形成される押し付け部分、前記引上げリングと前記押し付け部分の間に形成される取り付け部分、及び前記上部パネルに取り付け部分を取り付ける固定部材から構成される開口装置であって、前記固定部材は、前記開口部分の前記側面端の隣に取り付けられ、前記引上げリングと前記上部パネルの前記引上げ部分の間にある隙間を規定するため、前記引上げリングが前記上部パネルの前記引上げ部分の上方へ引き伸ばされる一方、前記押し付け部分が前記開口部分へ引き伸ばされ、前記開口装置の前記押し付け部分は前記引上げリングを引き上げることによって前記上部パネルの前記開口部分の上に押し付けられ、前記バルブ部材は、前記引上げリングを引き上げることによって開き、前記バルブ部材は開いて、開口が前記前もって切られる割れ線に沿って形成されることとなる開口装置、
とを有することを特徴とする飲料入れ物。
【手続補正２】
【補正対象書類名】明細書
【補正対象項目名】請求項２
【補正方法】変更
【補正の内容】
【請求項２】  前記上部パネルにある前記周囲縁の前記第二の区切りと前記側面端によって規定される境界線の中に引っ込まれ及び伸ばされる前記凹んだ区域を限定するため、前記引上げ部分は前記開口部分の前記平表面より低く配置され、前記周囲縁の前記第二の区切りと前記側面端は、予期されない衝撃或いは圧力によって形が変わることを避けるため、前記上部パネルを補強することに対して、前記凹んだ区域を囲む半円形縁を形成し、前記上部パネルの前記周囲縁の前記第一と第二の区切りの真下にある前記缶胴の前記上端周りにリング溝が形成され、そのリング溝は、前記上部パネルの前記開口部分に関して前記周囲縁の前記第１の区切りに対しＶ形断面を与え、前記周囲縁の前記第二の区切りが重複する縁を形成することとなる請求項１記載の飲料入れ物。
【手続補正３】
【補正対象書類名】明細書
【補正対象項目名】請求項３
【補正方法】変更
【補正の内容】
【請求項３】  前記開口部分は、斜めの平表面を形成するように作られ、前記引上げ部分は、前記開口部分から直接水平に引き伸ばされる凹んだ平表面を形成するように作られている請求項１記載の飲料入れ物。
【手続補正４】
【補正対象書類名】明細書
【補正対象項目名】請求項５
【補正方法】変更
【補正の内容】
【請求項５】  前記リング溝は、前記上部パネルの前記周囲縁の前記第一と第二の区切りの真下にある前記缶胴の前記上端の周りに形成され、このリング溝は、前記周囲縁の前記第一の区切りにＶ形断面を与え、前記周囲縁の前記第二の区切りには重複する縁を形成する請求項１記載の飲料入れ物。
【手続補正５】
【補正対象書類名】明細書
【補正対象項目名】請求項９
【補正方法】変更
【補正の内容】
【請求項９】  前記引上げ部分は、前記側面端と前記上部パネルの前記周囲縁の前記第二の区切りとで規定される境界線内に凹みおよび引き伸ばされる前記凹んだ区域を規定するため、前記開口部分の前記平表面より低く配置され、こうして前記側面端と前記周囲縁の前記第二の区切りは、予期されない衝撃或いは圧力によって変形することを避けるため、前記上部パネルを補強するように前記凹んだ区域を囲む半円形縁を形成し、前記開口部分の前記側面端と前記周囲縁の前記第二の区切りとが傾いた縁であり、前記側面端は、前記開口装置の前記押し付け部分を下へ押すようにして前記引上げリングが引き上げられる間に前記開口部分の形が変わることを避けるため、前記開口装置の前記取り付け部分を実質的に補強し、前記上部パネルの前記周囲縁の前記第一と第二の区切りの真下にある前記缶胴の前記上端の周りにリング溝が形成され、前記リング溝は、前記周囲縁の前記第一の区切りにＶ形の断面を持たせ、前記周囲縁の前記第二の区切りには重複する縁を形成する請求項１記載の飲料入れ物。
【手続補正６】
【補正対象書類名】明細書
【補正対象項目名】請求項１６
【補正方法】変更
【補正の内容】
【請求項１６】  
管状の缶胴と、
前記缶胴の底端で一体的に形成される凹面底パネルと、
前記缶胴の上端に一体的に形成される上部パネルであって、前記上部パネルには、周囲縁と前記周囲縁によって規定される境界線の内に引き伸ばされる平らな上表面とがあり、リング形状の前もって切られる割れ線が、前記平らな上表面の上に配置されるバルブ部材の周りに形成され、リング溝が前記上部パネルの平らな上表面を補強するため、前記上部パネルの前記周囲縁の真下にある前記缶胴の前記上端の周りに形成される上部パネルと、
引上げリング、前記引上げリングと一体形成される押し付け部分、前記引上げリングと前記押し付け部分の間に形成される取り付け部分、及び前記上部パネルに前記取り付け部分を取り付ける固定部材から構成される開口装置であって、前記固定部材は、前記平らな上表面に取り付けられ、前記引上げリングを引き上げることによって前記開口装置の前記押しつけ部分を前記上部パネルの上に押し付けると、前記バルブ部材が開き、開口が前記前もって切られた割れ線に沿って形成される開口装置と、
を有することを特徴とする飲料入れ物。
【手続補正７】
【補正対象書類名】明細書
【補正対象項目名】請求項１７
【補正方法】変更
【補正の内容】
【請求項１７】  管状の缶胴と、
前記缶胴の底端で一体的に形成される凹面底パネルと、
第一の区切りと第二の区切りに分けられる周囲縁をもつ前記缶胴の上端で一体的に形成される上部パネルであって、開口部分と引上げ部分とに分割され、そして開口部分は前記周囲縁の前記第一の区切りから前記引き上げ部分まで伸びる平表面であり、前記引上げ部分は、前記開口部分から前記周囲縁の前記第二の区切りまで伸びる凹んだ区域を提供し、かつリング形状の前もって切られる割れ線が前記平表面の上に配置されるバルブ部材の周りに形成されることとなる上部パネルと、
引上げリング、前記引上げリングと一体的に形成される押し付け部分、前記引上げリングと前記押し付け部分の間に形成される取り付け部分、及び前記上部パネルに取り付け部分を取り付ける固定部材から構成される開口装置であって、前記固定部材は、前記引上げ部分に取り付けられ、前記引上げリングと前記上部パネルの前記引上げ部分の間にある隙間を規定するため、前記引上げリングが前記上部パネルの前記引上げ部分の上方へ引き伸ばされる一方、前記押し付け部分は前記開口部分の前記平表面に伸び、前記開口装置の前記押し付け部分は前記引上げリングを引き上げることによって前記上部パネルの前記開口部分の上に押し付けられ、前記バルブ部材が開き、開口が前記前もって切られた割れ線に沿って形成され、前記上部パネルの前記引上げ部分の前記凹んだ区域に受け入れられるようにされた開口装置と、
を有することを特徴とする飲物入れ物。
【手続補正８】
【補正対象書類名】明細書
【補正対象項目名】００１３
【補正方法】変更
【補正の内容】
【００１３】
（好ましい実施例の詳細な説明）
図２と図３を参照すると、好ましい実施例による容易に清掃可能な上部パネル付きの飲料入れ物が示されている。飲料入れ物２０は、管状の缶胴２１、缶胴２１の底端２１１で一体的に形成される凹面底パネル２２、缶胴２１の上端２１２で一体的に形成される上部パネル２３、及び開口装置３０から構成される。
【手続補正９】
【補正対象書類名】明細書
【補正対象項目名】００１５
【補正方法】変更
【補正の内容】
【００１５】
上部パネル２３は、開口部分２３１と引上げ部分２３２の２つの部分に分けられる。開口部分２３１には、上部パネル２３にある周囲縁の第一の半円形の区切り２３３に伸びている半円形の平表面２３１−１がある。引上げ部分２３２は、開口部分２３１の側面端２３４から周囲縁の第二の区切り２３５まで伸びている半円形の凹んだ区域２３２−１を提供する。固定部材３４は、開口部分２３の側面端２３４に隣接して取り付けられ、その結果、引上げリング３１は、上部パネル２３の引上げ部分２３２の上方まで伸ばされ、一方、押し付け部分３２は開口部分２３１まで伸ばされる。
【手続補正１０】
【補正対象書類名】明細書
【補正対象項目名】００１６
【補正方法】変更
【補正の内容】
【００１６】
隙間２４は、引上げリング３１と引上げ部分２３２の凹んだ区域の底との間で規定される。隙間２４の高さは、一般に、引上げ部分２３２の凹んだ区域２３２−１の深さと等しい。開口部分２３１の上に、リング形の前もって切られる割れ線２５が形成され、引上げリング３１で開口装置３０の押し付け部分３２を押すときに、開口２３１−２が前もって切られている割れ線２５に沿って形成され、飲料入れ物２０の中に蓄えられる飲料が注出される。
【手続補正１１】
【補正対象書類名】明細書
【補正対象項目名】００１９
【補正方法】変更
【補正の内容】
【００１９】
図２と図３に示される好ましい実施例によれば、開口部分２３１の側面端２３４と周囲縁の第二の区切り２３５は、共に、引上げ部分２３２に傾けて伸ばされ、開口装置３０の押し付け部分３２を下へ押し付けるため、引き上げリング３１を引き上げる際に、開口部分２３１の形が変わることを防ぐため、側面端２３４は、実質的に開口装置３０の取り付け部分３３を補強する。
【手続補正１２】
【補正対象書類名】明細書
【補正対象項目名】００２０
【補正方法】変更
【補正の内容】
【００２０】
上部パネル２３をさらに補強するために、リング溝２６が上部パネル２３の周囲縁より真下にある缶胴２１の上端の周りに形成されるのが好ましい。図３に示されるように、上部パネル２３の開口部分２３１に関するリング溝２６は、周囲縁の第一の区切り２３３にＶ形の断面であって、開口部分２３１を実質的に丈夫にし補強できることとなる断面を持たせる。さらに、リング溝２６に関しては、周囲縁の第二の区切り２３５は上部パネル２３の堅牢性を大きく増すための重複縁を形成する。
【手続補正１３】
【補正対象書類名】明細書
【補正対象項目名】００２２
【補正方法】変更
【補正の内容】
【００２２】
図３に示されるように、また底パネル２２より小さい直径を持つ上部パネル２３とすることは好ましく、それによって、１つの飲料入れ物２０は、もう一つの飲料入れ物２０の上端に積み重ねられ得ると同時に、下方の飲料入れ物２０の上部パネル２３は、上方の飲料入れ物２０の凹面底パネル２２によってカバーされ、その範囲内とされるようになる。
【手続補正１４】
【補正対象書類名】明細書
【補正対象項目名】００２３
【補正方法】変更
【補正の内容】
【００２３】
さらに衛生性を確実にするため、図２と図３に示されるように、少なくともバルブ部材２３６をカバーするため、上部パネル２３の開口部分２３１上に、保護膜４０が前もって取り付けられる。このため、消費者は、飲料入れ物２０を開ける前に、保護膜４０を最初に引き剥がすことができ、その結果、消費者の唇と接触するための開口部分２３１を完全に清掃できる。もちろん、消費者は、直接、バルブ部材２３６を最初に開けて、それによって、保護膜４０を引き剥がすこともできる。
【手続補正１５】
【補正対象書類名】明細書
【補正対象項目名】００２７
【補正方法】変更
【補正の内容】
【００２７】
図５に示されるように、この発明の上述の好ましい実施例の第三の代替態様は、図示された上述の実施例に対して、基本的に同一構造であり、独立部材として上部パネル２３Ａが作られ、缶胴２１Ａと底パネル２２Ａが１つの胴を構成するため一体的に形成されている。上部パネル２３Ａの周囲縁は、囲む縁２７Ａを形成するため、缶胴２１Ａの上端縁２１２Ａと封止的に結合されている。
【手続補正１６】
【補正対象書類名】明細書
【補正対象項目名】００２８
【補正方法】変更
【補正の内容】
【００２８】
図６に示されるように、この発明の上述の好ましい実施例の第四の代替態様は、凹んだ面区域２３２−１がさらに取り除かれている。全ての上部パネル２３Ｂは、平らな上表面を提供し、そこに直接、開口装置３０Ｂが載せられる。リング溝２６は、平らな上部パネル２３Ｂを補強するため、上部パネル２３Ｂの周囲縁より真下へ缶胴２１の上端周りに形成されるのが好ましい。確かに、これは上述の好ましい実施例のようには良くないが、容易に清掃可能な開口部分２３１Ｂを依然として提供することができる。それ故、これは、また、この発明の可能な代替変更例として考えられる。
【手続補正１７】
【補正対象書類名】明細書
【補正対象項目名】００２９
【補正方法】変更
【補正の内容】
【００２９】
図７に示されるように、この発明の上述の好ましい実施例の第五の代替態様は、平らな開口部分２３１Ｃを有し、凹んだ区域２３２−１Ｃが、その中に単に開口装置３０Ｃを受け入れるためのみに形成された溝形状とされている。上述の好ましい実施例と同様に良く機能する。